(57)【要約】【課題】光学手段の反りが生じることを抑制して、光量の低下を防止することができるように構成された光源モジュール及び照明装置を提供する。【解決手段】ＬＥＤ２，２…と、ＬＥＤ２，２…を支持する基板１と、ＬＥＤ２，２…からの光の方向を変えるシート状の反射シート３と、反射シート３を基板１に係止するネジ４とを備える光源モジュール１０であって、反射シート３は、ネジ４が挿通される複数の挿通穴３２，３２，３３，３３を有しており、複数の挿通穴３２，３２，３３，３３のうち２つの挿通穴同士にて、各挿通穴の互いに近い側から遠い側に亘る一側の半周縁部分よりも他側の方が、ネジ４及び反射シート３の接触面積が大となるようにしてある。反射シート３に反射シート３を引張する方向に力が作用することになるから、反射シート３に反りが発生することを抑制して、光源モジュール１０から出射される光量の低下を防ぐことができる。【選択図】図５
2010282762.tif 000002
【特許請求の範囲】
【請求項１】
光源と、該光源を支持する支持体と、前記光源からの光の方向を変えるシート状の光学手段と、該光学手段を前記支持体に係止する係止手段とを備える光源モジュールであって、
前記光学手段は、前記係止手段及び支持体間に位置する部分を、前記係止手段との摩擦に応じて生じる力が前記光学手段を引張する方向に作用するように構成してあることを特徴とする光源モジュール。
【請求項２】
光源と、該光源を支持する支持体と、前記光源からの光の方向を変えるシート状の光学手段と、該光学手段を前記支持体に係止する係止手段とを備える光源モジュールであって、
前記光学手段は、前記係止手段及び支持体間に位置する部分を、前記係止手段との摩擦に応じて生じる力を低減又は吸収するように構成してあることを特徴とする光源モジュール。
【請求項３】
前記光学手段は、前記係止手段が挿通される複数の挿通穴を有しており、該複数の挿通穴のうち２つの挿通穴同士にて、各挿通穴の互いに近い側から遠い側に亘る一側の半周縁部分よりも他側の方が、前記係止手段及び光学手段の接触面積が大となるようにしてあることを特徴とする請求項１に記載の光源モジュール。
【請求項４】
前記光学手段は、前記挿通穴の前記一側の半周縁部分に亘って前記係止手段が前記光学手段に接触しないようにしてあることを特徴とする請求項３に記載の光源モジュール。
【請求項５】
前記光学手段は、前記係止手段との接触部分の摩擦係数を他の部分よりも小さくしてあることを特徴とする請求項２に記載の光源モジュール。
【請求項６】
前記光学手段は、前記係止手段との接触部分のヤング率を他の部分よりも小さくしてあることを特徴とする請求項２に記載の光源モジュール。
【請求項７】
前記光学手段は光を反射する反射シートであることを特徴とする請求項１から６の何れか一つに記載の光源モジュール。
【請求項８】
請求項１から７の何れか一つの光源モジュールを備えることを特徴とする照明装置。
【発明の詳細な説明】
【技術分野】
【０００１】
本発明は、光源からの光の方向を変える光学手段を有する光源モジュール及び該光源モジュールを備える照明装置に関する。
【背景技術】
【０００２】
室内外の照明用途に供される照明装置として、従来、白熱電球、蛍光灯等を光源とする照明装置が用いられている。近年、発光ダイオード（以下ＬＥＤという）の高輝度化が進むと共に、青色ＬＥＤが開発されたことにより、青色ＬＥＤと蛍光体を組み合わせた白色ＬＥＤが実用化されている。これに伴い、小型、低消費電力、長寿命等の特性を有するＬＥＤを光源として備える照明装置が種々提案されている（例えば、特許文献１参照）。
【０００３】
特許文献１に開示されたＬＥＤ照明モジュール（光源モジュール）は、複数のＬＥＤと、該複数のＬＥＤが配設された基板と、ＬＥＤからの光の集光又は配光を制御する光学制御手段とを備えている。このＬＥＤ照明モジュールは、例えば、光学制御手段としてマイクロレンズ板をＬＥＤに適長離隔して設け、該マイクロレンズ板によりＬＥＤ照明モジュールから出射される光の角度が所定角度内になるように配光を制御するように構成してある。
【先行技術文献】
【特許文献】
【０００４】
【特許文献１】特開平１１−１６２２３２号公報
【発明の概要】
【発明が解決しようとする課題】
【０００５】
しかしながら、特許文献１に開示されたＬＥＤモジュールにおいては、ＬＥＤから出射される光のうち一部が、ＬＥＤに離隔して設けられた光学制御手段のＬＥＤ側の面又は反対側の面においてＬＥＤの側に反射される。反射された光の一部は、再度、ＬＥＤ又は基板の表面において、所望の方向、光学制御手段に入射する方向に反射されるが、ＬＥＤ及び基板の表面の反射率は一般的に低いため、照明光として外部に出射される光量が低下するという問題があった。
【０００６】
そこで、ＬＥＤを実装した基板の表面に、前記光学制御手段によりＬＥＤの側に反射された光を所望の方向に反射すべく、反射手段を設けることが考えられる。この反射手段として、例えば、ＰＥＴ（ポリエチレンテレフタレート）等の高光反射率の材料製の０．１５〜０．３ｍｍ程度の厚さを有する反射シートを用いることができる。
【０００７】
この反射シートの基板表面への固定方法として、粘着材料を用いて接着させることにより固定する方法、ネジ等の係止手段を用いて基板に係止することにより固定する方法等が考えられるが、組立性、組立時の歩留まりの向上を考慮すると、取付及び取外の繰り返し作業が可能なネジ等の係止手段が好適である。
【０００８】
図１は、光源モジュールの従来例を示す図である。図１に示す光源モジュール１１０は、複数のＬＥＤ１０２，１０２…と、該複数のＬＥＤ１０２，１０２…が実装され、ＬＥＤ１０２，１０２…を支持する支持体である基板１０１と、該基板１０１の表面に設けられ、ＬＥＤ１０２，１０２…からの光を反射する反射シート１０３と、基板１０１の４隅に取付けられ、反射シート１０３を基板１０１に係止する係止手段であるネジ１０４，１０４…とを備え、ネジ１０４，１０４…を用いて反射シート１０３が基板１０１に係止されるように構成してある。
【０００９】
図２は、図１のII−II線による光源モジュール１１０の模式的断面図である。この光源モジュール１１０は、図２に示すように、ネジ１０４のネジ頭部１４１及び基板１０１間に反射シート１０３を介挿して保持するように構成してある。ネジ１０４を締結したときに、ネジ頭部１４１の下面１４１ａが反射シート１０３の上面１０３ａに、該反射シート１０３に設けられた挿通穴１０３ｂの略全周に亘って均等に当接するときは、ネジ頭部１４１及び反射シート１０３間に摩擦力が挿通穴１０３ｂの周方向に沿って全周に亘って作用するから、反射シート１０３に作用する力は打ち消し合い、偏った方向への力は作用しない。この結果、反射シート１０３は、略全面に亘って基板１０１の表面に当接する。
【００１０】
しかしながら、実際は、ネジ１０４の締付け時にドライバ等の工具の軸心がネジ１０４の軸心と角度をなしてしまう等の作業者又は機械に起因するばらつきにより、ネジ頭部１４１の下面１４１ａが反射シート１０３の上面１０３ａに均等に当接しないことが多い。ネジ頭部１４１の下面１４１ａが反射シート１０３の上面１０３ａに不均等に当接するとき、ネジ頭部１４１から反射シート１０３に当接部分に応じた不均等な力が作用して、反射シート１０３に反りが生じる場合がある。
【００１１】
図３及び図４は、反射シート１０３に反りが生じる場合の説明図である。図３は、反射シート１０３のネジ１０４近傍の模式的部分拡大図を、図４は、図１のIV−IV線による模式的断面図を夫々示している。ネジ頭部１４１の下面１４１ａが反射シート１０３に不均等に当接して、この不均等な当接部分に応じて、図３中に矢符にて示すように摩擦力が反射シート１０３に挿通穴１０３ｂの周方向に不均等に作用する場合、これらの摩擦力により、図３中に白抜き矢符にて示す方向の力が反射シート１０３に作用する。この作用力により、図４に示すように、反射シート１０３に反りが生じて、反射シート１０３の一部が基板１０１表面から浮き上り、ＬＥＤ１０２，１０２…の発光面よりも高い位置に保持されることになる。この結果、ＬＥＤ１０２，１０２…から出射した光が反射シート１０３によって遮られて、照明光として光源モジュール１１０の外部へ出射される光量が低下する虞があった。
【００１２】
本発明は斯かる事情に鑑みてなされたものであり、光学手段の反りが生じることを抑制して、光量の低下を防止することができるように構成された光源モジュール及び該光源モジュールを備える照明装置を提供することを目的とする。
【課題を解決するための手段】
【００１３】
本発明に係る光源モジュールは、光源と、該光源を支持する支持体と、前記光源からの光の方向を変えるシート状の光学手段と、該光学手段を前記支持体に係止する係止手段とを備える光源モジュールであって、前記光学手段は、前記係止手段及び支持体間に位置する部分を、前記係止手段との摩擦に応じて生じる力が前記光学手段を引張する方向に作用するように構成してあることを特徴とする。
【００１４】
本発明にあっては、光源を支持する支持体に係止手段により係止され、光源からの光の方向を変えるシート状の光学手段の係止手段及び支持体間に位置する部分を、係止手段との摩擦に応じて生じる力が光学手段を引張する方向に作用するように構成してある。光学手段の取付時に、係止手段との摩擦に応じて生じる力が光学手段を引張する方向に作用する、換言すると反射手段の反りを低減する方向に作用するから、光学手段の反りを抑制し、光学手段の浮き上った部分により光源から出射される光が遮蔽されることを防止して光量の低下を防止することが可能となる。
【００１５】
本発明に係る光源モジュールは、光源と、該光源を支持する支持体と、前記光源からの光の方向を変えるシート状の光学手段と、該光学手段を前記支持体に係止する係止手段とを備える光源モジュールであって、前記光学手段は、前記係止手段及び支持体間に位置する部分を、前記係止手段との摩擦に応じて生じる力を低減又は吸収するように構成してあることを特徴とする。
【００１６】
本発明にあっては、光源を支持する支持体に係止手段により係止され、光源からの光の方向を変えるシート状の光学手段の係止手段及び支持体間に位置する部分を、係止手段との摩擦に応じて生じる力を低減又は吸収するように構成してある。この構成により、光学手段の取付時に、係止手段及び光学手段間に作用する摩擦力を小さくする、又は吸収することができるから、光学手段の反りを抑制し、光学手段の浮き上った部分により光源から出射される光が遮蔽されることを防止して光量の低下を防止することが可能となる。
【００１７】
本発明に係る光源モジュールは、前記光学手段は、前記係止手段が挿通される複数の挿通穴を有しており、該複数の挿通穴のうち２つの挿通穴同士にて、各挿通穴の互いに近い側から遠い側に亘る一側の半周縁部分よりも他側の方が、前記係止手段及び光学手段の接触面積が大となるようにしてあることを特徴とする。
【００１８】
本発明にあっては、係止手段が挿通される複数の挿通穴のうち２つの挿通穴同士にて、各挿通穴の互いに近い側から遠い側に亘る一側の半周縁部分よりも他側の半周縁部分の方が、係止手段及び光学手段の接触面積が大となるように光学手段を構成してある。例えば、互いに最も近い位置を基準としたときに、各挿通穴の周縁部分の０から−πの範囲（一側の半周縁部分）よりも０からπの範囲（他側の半周縁部分）の方が、前記係止手段及び光学手段の接触面積が大となるようにする。これにより、係止手段であるネジをドライバ等の工具により基板に螺合して光学手段をネジにより係止して取付けるときに、ネジ頭部の下面と反射手段の上面との間に作用する摩擦力によって、シート状の光学手段に引張する方向、換言すると光学手段の反りを低減する方向に力が作用することになる。この結果、光学手段の反りを抑制して、光量の低下を防止することができる。
【００１９】
本発明に係る光源モジュールは、前記光学手段は、前記挿通穴の前記一側の半周縁部分に亘って前記係止手段が前記光学手段に接触しないようにしてあることを特徴とする。
【００２０】
本発明にあっては、挿通穴の一側の半周縁部分に亘って（例えば、互いに最も近い位置を基準としたときに、各挿通穴の周縁部分の０から−πの範囲に亘って）係止手段が光学手段に接触しないように光学手段を構成してある。光学手段が受ける力は、他側の半周縁部分に亘って係止手段との間にて作用する摩擦力の合計であるから、各挿通穴の互いに近い側から遠い側に向けた力が光学手段に作用することになる。この結果、光学手段の反りを低減する方向に作用する力を更に大きくすることができ、光学手段の反りをより確実に抑制して、光量の低下を更に防止することができる。
【００２１】
本発明に係る光源モジュールは、前記光学手段は、前記係止手段との接触部分の摩擦係数を他の部分よりも小さくしてあることを特徴とする。
【００２２】
本発明にあっては、光学手段の係止手段との接触部分の摩擦係数を他の部分よりも小さくしてあるから、取付時に係止手段及び光学手段間に作用する摩擦力を小さくして、光学手段に作用する力の絶対値を小さくすることができるから、該光学手段の反りを抑制して、光量の低下を防止することができる。
【００２３】
本発明に係る光源モジュールは、前記光学手段は、前記係止手段との接触部分のヤング率を他の部分よりも小さくしてあることを特徴とする。
【００２４】
本発明にあっては、光学手段の係止手段との接触部分のヤング率を他の部分よりも小さくしてあるから、取付時に係止手段及び光学手段間に作用する摩擦力に応じて生じる光学手段の変形をヤング率が小さい接触部分の局所的な変形に抑えることができ、光学手段の反りを抑制して、光量の低下を防止することができる。
【００２５】
本発明に係る光源モジュールは、前記光学手段は光を反射する反射シートであることを特徴とする。
【００２６】
本発明にあっては、光学手段として光を反射する反射シートを用いている。前述の如く反射シートの反りを抑制するように構成してあるから、反射シートの浮き上がりにより光源からの光が遮蔽されることを防止しつつ、反射シートにより光源からの光を外部へ効率良く導くことができ、光量の低下を更に防止することができる。
【００２７】
本発明に係る照明装置は、前述の発明に記載の光源モジュールを備えることを特徴とする。
【００２８】
本発明にあっては、前述の発明に記載の光源モジュールを備えているから、光学手段の反りを防止して、照明光として外部に出射される光量の損失を低減することができる。
【発明の効果】
【００２９】
本発明によれば、光学手段の反りを抑制して、光量の低下を防止することができる。
【図面の簡単な説明】
【００３０】
【図１】光源モジュールの従来例を示す図である。
【図２】図１のII−II線による光源モジュールの模式的断面図である。
【図３】反射シートに反りが生じる場合の説明図である。
【図４】反射シートに反りが生じる場合の説明図である。
【図５】本発明の実施の形態１に係る光源モジュールの模式的外観図である。
【図６】図５のVI−VI線による模式的断面図である。
【図７】実施の形態１に係る反射シートの模式図である。
【図８】ネジとの摩擦に応じて反射シートに作用する力の説明図である。
【図９】実施の形態１に係る光源モジュールを備える照明装置の外観斜視図である。
【図１０】実施の形態１に係る光源モジュールを備える照明装置の分解斜視図である。
【図１１】本発明の実施の形態２に係る光源モジュールの反射シートの模式図である。
【図１２】ネジとの摩擦に応じて反射シートに作用する力の説明図である。
【発明を実施するための形態】
【００３１】
以下、本発明をその実施の形態を示す図面に基づいて詳述する。
（実施の形態１）
図５は、本発明の実施の形態１に係る光源モジュール１０の模式的外観図である。図６は、図５のVI−VI線による模式的断面図である。
【００３２】
図において１は、支持体としての基板である。基板１は、矩形状をなすプリント配線基板である。基板１の一面１ａには、図５に示すように、光源であるＬＥＤ２，２…が等間隔にマトリクス状に配列して装着してある。ＬＥＤ２は、青色ＬＥＤ素子と、該青色ＬＥＤ素子からの光により励起されて黄色光を発する黄色蛍光体とを備えてなる疑似白色の表面実装型ＬＥＤである。ＬＥＤ２から出射される光は、青色ＬＥＤ素子が発する青色の光と、該光により励起されて黄色蛍光体が発する黄色の光とが混合されて、白色の光が照射されているように視感される。
【００３３】
ＬＥＤ２，２…が実装された基板１の一面１ａには、光学手段としての反射シート３が係止手段としての複数のネジ４，４…により係止してある。図７は、実施の形態１に係る反射シート３の模式図である。反射シート３は、基板１と略同一寸法の矩形シート状を有している。反射シート３には、ＬＥＤ２，２…の配列に整合させて、ＬＥＤ２，２…の平面形状より若干大きい矩形穴３１，３１…が設けてある。この矩形穴３１，３１…内にＬＥＤ２，２…を夫々配置させることにより、反射シート３を基板１の一面１ａに密接させることができる。なお、反射シート３は、高光反射率である材料製であり、例えば、ポリエチレンテレフタレート（ＰＥＴ）フィルムである。これにより、ＬＥＤ２，２…から出射される光が基板１に吸収されることなく反射シート３の反射面で反射されるから、光源モジュール１０から外部に出射される光量の低下を防ぐことができる。
【００３４】
また、反射シート３の４隅には、係止手段であるネジ４，４…を挿通する挿通穴３２，３２，３３，３３が設けてある。これら複数の挿通穴３２，３２，３３，３３は、図７に示すように、複数の挿通穴３２，３２，３３，３３のうち最も近い２つの挿通穴同士において（図において上下方向に位置する挿通穴３２と挿通穴３３とにおいて）、各挿通穴の互いに近い側から遠い側に亘る一側の半周縁部分よりも他側の半周縁部分の方が、ネジ４のネジ頭部４１及び反射シート３の接触面積が大となるようにしてある。本実施の形態においては、複数の挿通穴３２，３２，３３，３３のうち最も近い２つの挿通穴同士において、互いに最も近い位置を基準としたときに、各挿通穴３２，３２，３３，３３の周縁部分の０から−πの範囲に亘って（挿通穴の一側の半周縁部分に亘って）、ネジ４，４…の頭部４１，４１…の半径よりも挿通穴３２，３２，３３，３３の半径が大となるように、各挿通穴３２，３２，３３，３３の周縁部分の０からπの範囲に亘って（挿通穴の他側の半周縁部分に亘って）、ネジ４，４…の頭部４１，４１…の半径よりも挿通穴３２，３２，３３，３３の半径が小となるようにしてある。即ち、ネジ４，４…の頭部４１，４１の下面４１ａが、挿通穴３２，３２，３３，３３の一側の半周縁部分においては反射シート３の上面３ａに接触せず、挿通穴３２，３２，３３，３３の他側の半周縁部分においてのみ反射シート３の上面３ａに接触する。
【００３５】
図８は、ネジ４，４…との摩擦に応じて反射シート３に作用する力の説明図である。以上のように構成された実施の形態１に係る光源モジュール１０において、例えば、反射シート３をネジ４，４…により係止すべく、ドライバを図において時計回りに回転させてネジ４，４…を基板１に締結する場合、前述したようにネジ４，４…の頭部４１，４１…の下面４１ａは、挿通穴３２，３２，３３，３３の他側の半周縁部分のみにおいて反射シート３の上面３ａに接触する。この挿通穴３２，３２，３３，３３の他側の半周縁部分の接触部分において、図８中に矢符にて示す如く、ネジ４，４…の頭部４１，４１…の周方向に沿って摩擦による力が作用する。このネジ４，４…の頭部４１，４１…の周方向に沿った摩擦力の反射シート３の長手方向（図において左右方向）の分力は互いに打ち消し合うから、摩擦力の反射シート３の短手方向（図において上下方向）の分力のみが反射シートに作用する。この結果、図８中に白抜き矢符にて示すように、挿通穴３２，３２（図において上側）に位置するネジ４，４の頭部４１，４１が接触する部分の反射シート３には、挿通穴３２，３２の近くの反射シート３の長辺側の周縁に向かう方向（図において上方向）の力が、挿通穴３３，３３（図において下側）に位置するネジ４，４の頭部４１，４１が接触する部分の反射シート３には、挿通穴３３，３３の近くの反射シート３の長辺側の周縁に向かう方向（図において下方向）の力が作用する。このように、複数の挿通穴３２，３２，３３，３３のうち近接する挿通穴３２，３３同士において、摩擦により生じる力が反対方向（反射シート３の挿通穴３２，３３夫々に近い方の長辺側の周縁に向かう方向、換言すると反射シート３の短手方向の互いに離反する方向）に作用するから、反射シート３に該反射シート３を引張する方向、換言すると反射シート３の反りを低減する方向に力が作用することになる。この結果、反射シート３の反りが発生する方向への変位を防止して、反射シート３に反りが発生することを抑制することができ、反射シート３と基板１との密着性を向上させて、光源モジュール１０から出射される光量の低下を防ぐことができる。
【００３６】
なお、本実施の形態においては、複数の挿通穴３２，３２，３３，３３のうち最も近い２つの挿通穴同士において、前述したような穴形状を有するように構成してあるが、これに限定されず、複数の挿通穴３２，３２，３３，３３のうち前記最も近い２つの挿通穴同士に対して９０°の角度をなす位置にある２つの挿通穴同士において、又は複数の挿通穴３２，３２，３３，３３のうち最も遠い２つの挿通穴同士において、前述したような穴形状を有するように構成してもよい。
【００３７】
この光源モジュール１０は、例えば、照明装置に用いられる。図９は、実施の形態１に係る光源モジュール１０を備える照明装置１００の外観斜視図である。図１０は、実施の形態１に係る光源モジュール１０を備える照明装置１００の分解斜視図である。なお、図９及び図１０に示す照明装置１００は、天井に設置される照明装置であり、以下の説明において、照明装置１００の上方向とは天井面に取付けられる方向を示し、下方向とは光源モジュール１０からの光が出射される方向を示すものとして便宜的に用いる。また、照明装置１００を構成する筐体の説明において用いる上下方向についても同様である。なお、図９においては、光源モジュール１０の反射シート３、後述する保護板の図示を説明の便宜上省略している。
【００３８】
照明装置１００は，光源モジュール１０を収容する筐体である照明ケース５と、光源モジュール１０に電流を供給する電源回路部を収容する筐体である電源ケース８とを別体として備えている。なお、照明ケース５及び電源ケース８は、互いに着脱可能な係止構造を有している。
【００３９】
照明ケース５は、軽量かつ放熱性が良い金属製であり、例えばアルミニウム製である。照明ケース５は、図１０に示すように、細長い矩形板部５１と、該矩形板部５１の周縁に長手方向に沿って立設された側壁５２，５２とを備えている。側壁５２，５２の先端は、矩形板部５１に略平行をなすように一部屈曲させてあり、この屈曲部分には、長手方向に沿って先端が二股に分かれた溝である凹部が形成してある。
【００４０】
照明ケース５の矩形板部５１の長手方向の両端部には、電源ケース８を照明ケース５に取付けるための矩形状の電源ケース取付穴５１ａ，５１ａが設けてある。また、照明ケース５の矩形板部５１の長手方向の両端部には、両端の開口部を覆うサイドカバー５３，５３が取付けてある。サイドカバー５３は白色の反射性の高い金属からなり、照明ケース５の両端の開口部から光が漏れることを防止する。さらに、矩形板部５１には、複数のネジ穴５１ｂ，５１ｂ…が設けてある。
【００４１】
照明ケース５の矩形板部５１の一面（側壁５２，５２が立設された側）には、前述したようにＬＥＤ２，２…をマトリクス状に装着した基板１が係止手段であるネジ４，４…により複数取付けてある。基板１には、４隅及び中央部に円形穴が形成してある。また基板１には、複数のＬＥＤ２，２…間を通電する配線パターン（図示せず）、ＬＥＤ２，２…に一定の電流を流すための制限抵抗（図示せず）、電源回路部と基板１との間及び複数の基板１，１…間を接続するための基板コネクタ２０，２０が設けてある。なお、基板コネクタ２０は１枚の基板１に２つずつ設けられており，２つとも基板１の一辺側の端部に設けられている。そして、電源回路部からの配線２１、及び基板１，１…間を接続する配線２１が，基板１の縁部に沿って配設され、基板１上の基板コネクタ２０に接続してある。なお、電源回路部からの配線２１は、照明ケース５の電源ケース取付穴５１ａを通してなしてある。これにより、電源回路部からＬＥＤ２，２…に電力が供給される。なお、本実施の形態では、一例として４枚の基板１，１…を備える照明装置１００を示しているが、基板の枚数はこれに限定されない。
【００４２】
基板１の一面（ＬＥＤ２，２…が実装された側）には、基板１と略同一寸法の矩形シート状を有する反射シート３が設けてある。反射シート３には、図７にて説明したように、ＬＥＤ２，２…より若干大きい矩形穴３１，３１…がＬＥＤ２，２…と同数形成してあると共に、反射シート３の４隅には、前述した挿通穴３２，３２，３３，３３が形成してある。また反射シート３の中央部には円形の挿通穴が形成してある。なお、反射シート３には、該反射シート３の長辺側の一側に沿って反射シート３０が直角をなして設けてある。
【００４３】
これら基板１、ＬＥＤ２，２…及び反射シート３を備えてなる複数の光源モジュール１０，１０…は、基板１，１…に設けられた円形穴、反射シート３に設けられた挿通穴にネジ４，４…を挿通させ、照明ケース５の矩形板部５１に設けられたネジ穴５１ｂ，５１ｂ…にネジ４，４…を螺合させることにより、照明ケース５に取付けてある。
【００４４】
照明ケース５の側壁５２，５２の先端の凹部には、ＬＥＤ２，２…を保護する保護板６が嵌入してある。本実施の形態においては，保護板６として，ポリカーボネート樹脂の乳白色の拡散板を用いている。これにより、ＬＥＤ２，２…を外部から保護するとともに、ＬＥＤ２，２…から出射される光のグレアを解消することができる。なお、保護板６として、照明装置１００が設置される室内の照度を確保すべく、例えば、アクリル樹脂の透明板であってもよい。このように、照明装置１００を設置する場所又は用途に応じて、保護板６の種類を選択可能とすることにより、照明装置１００の汎用性が高めることができる。
【００４５】
照明ケース５の長手方向の両端部には、略直角をなす２平面を有し、保護板６を押圧して保持する保持部材７，７が前記両端部の開口部を覆うように設けてある。保持部材７，７の内面には、照明ケース５の矩形板部５１に保持部材７，７を取り付けるための爪部７１，７１と、後述するストッパーが回動しないように固定するストッパー固定部（図示せず）とが設けてある。図１０に示すように、本実施の形態においては、各保持部材７，７に夫々２つ爪部７１，７１が設けてあるから、保護板６を安定して保持することができる。
【００４６】
照明ケース５の矩形板部５１の他面（基板１，１…が設けられた側とは逆側の面）には、該矩形板部５１の長手方向に直交する面における断面形状がＬ字状を有する２つの係止部５４，５４が照明ケース５の長手方向の略全長に亘って設けてある。２つの係止部５４，５４は、照明ケース５の矩形板部５１の他面と２つの係止部５４，５４のＬ字により形成される係止開口部が同一の方向となるように形成されている。これら係止部５４，５４により一面開口の筐体状をなす電源ケース８が係止してある。
【００４７】
電源ケース８は、一面開口の筐体であり、鉄等の金属製である。電源ケース８の長手方向の長さは、照明ケース５の長手方向の長さと略同一であり、電源ケース８の短手方向の長さは、照明ケース５の短手方向の長さの略半分である。電源ケース８の開口部側には、電源ケース８の側壁に直交する方向に突出する突起部８１，８１が長手方向の略全長に亘って設けてある。該突起部８１，８１を照明ケース５の係止部５４，５４に係合することにより、電源ケース８と照明ケース５とが一体化されることになる。
【００４８】
電源ケース８の両端には、ストッパー８２，８２が設けてある。ストッパー８２は、板状の突起であり、ストッパー８２の略中央を通り、ストッパー８２と平行をなす軸周りに回動可能に構成してある。板状のストッパー８２の幅は，照明ケース５の矩形状の電源ケース取付穴５１ａの長辺より短く、短辺より長くしてある。これにより、ストッパー８２，８２を照明ケース５に設けられた電源ケース取付穴５１ａ，５１ａに挿入し、照明ケース５と電源ケース８とを突起部８１，８１と係止部５４，５４とからなる係止構造により係止した後に、ストッパー８２，８２を略９０°回動させることにより、照明ケース５を電源ケース８に係止状態にて保持することが可能となる。なお、ストッパー８２，８２は，電源ケース８に一体的に形成されていてもよく、又は電源ケース８と取り外し可能な別体の部材でもよい。
【００４９】
なお、照明ケース５及び電源ケース８は、電源ケース８を照明ケース５の矩形板部５１の他面（照明ケース５の裏面）に短辺側の中心を揃えて取り付けてある。電源ケース８の短辺と照明ケース５の短辺の長さの違いに起因して、照明ケース５の裏面の一部が外部に露出される構成となる。これにより、放熱性の高いアルミニウム等の金属製からなる照明ケース５の裏面をより効果的に利用することができ、ＬＥＤ２，２…から発せられる熱を効率的に放熱することが可能となる。
【００５０】
また、電源ケース８の内部には、外部電源からの電力線を電源回路部に接続するための接続端子としての速結端子８３が設けてある。電源ケース８の内部には、安全性を確保すべく、前記電源回路部をその内部に収容する金属製の電源回路ボックス８４が設けてある。電源回路ボックス８４には、コンデンサ、トランス等の電子部品（図示せず）を電源回路基板８５に実装してなる電源回路部が絶縁シート８６を介して取付けてある。なお，電源回路部と電源回路ボックス８４との間の絶縁性をさらに確保するために、電源回路部をシリコン等の樹脂でモールドすることがより好ましい。
【００５１】
なお、電源ケース８の開口部と逆側の上面には、天井に配設された電力線を引き込む引込穴（図示せず）が設けられ、引込穴の穴周囲には樹脂製の緩衝リング（図示せず）が装着されている。よって、通常は電力線として直径１６ｍｍ〜２０ｍｍ程度の比較的太い電力線が用いられているが、引込穴から電力線を引き込む際には、照明装置１００の製造過程で引込穴の穴周囲に形成されたバリ等により電力線が損傷を受けることを防ぐことが可能である。なお、電力線の損傷を防ぐために、引込穴に樹脂リングを装着するのではなく、つば加工等の端面処理を施すこともできる。
【００５２】
また、電源ケース８の高さは電源回路ボックス８４を収容できる寸法であって、内部にある程度の空間を確保できるように設計されていることが好ましい。電源ケース８にある程度の高さがなければ、前述したような太い電力線を引込穴から引き込んで電源ケース８に沿って曲げる為の空間を確保することができないからである。本実施の形態においては、通常用いられる直径１６ｍｍ〜２０ｍｍの電力線に対応して、電源回路ケース８４の高さは４２ｍｍと設計されている。
【００５３】
また、電気用品安全法に準拠すべく、絶縁性の確保のため、電源回路基板８５を周囲の金属部品からである電源回路ボックス８４から少なくとも５ｍｍ程度の距離をあけるように求められているが、前述したように電源ケース８の高さを十分に設計することにより、電源回路基板８５を５ｍｍの距離をあけて収容する高さを有する電源回路ボックス８４を電源ケース８内に設けることができる。
【００５４】
また、電源回路部（電源回路ボックス８４）は、電源ケース８内の何れの場所に設置されていてもよいが、速結端子８３を介する必要があるので、引込穴から一定距離を空けて設置されている。なお、電源回路部が、電源ケース８の短辺側の何れか一端に近く設けられていれば、電源回路部と基板１，１…とを接続する配線２１が短くなり、照明ケース５と電源ケース８を係止させた場合のコネクタ２２による接続も容易となる。
【００５５】
以上のように構成された照明装置１００は、電源ケース８を天井にボルト等で取り付け、照明ケース５を電源ケース８に係止して一体化することにより、室内の天井に取付けてある。そして、電源ケース８の内部の電源回路部を天井裏に配設されている外部電源の電力線に接続し、照明ケース５の内部のＬＥＤ２，２…を配線２１、基板コネクタ２０，２０…及びコネクタ２２，２２により電源回路部に接続してあるから、外部電源から供給される交流電圧が、前記電源回路部により直流電圧に変換及び整流されてＬＥＤ２，２…に供給されることになる。そして、照明装置１００は、ＬＥＤ２，２…から出射される光が保護板６により適宜拡散されて外部に出射され、面発光照明が可能となる。
【００５６】
この照明装置１００は、前述した光源モジュール１０を備えているから、ＬＥＤ２，２…から出射される光の一部が保護板６等によりＬＥＤ２，２…の側に反射されたときにおいても、反射シート３の浮き上がりにより光源からの光が遮蔽されることを防止しつつ、反射シート３によりＬＥＤ２，２…からの光を外部へ効率良く導くことができ、照明光として外部に出射される光量の低下を防止することができる。
【００５７】
（実施の形態２）
図１１は、本発明の実施の形態２に係る光源モジュール１０ａの反射シートの模式図である。実施の形態２に係る光源モジュール１０ａは、実施の形態１に係る光源モジュール１０と反射シートの挿通穴の形状が異ならせてある。
【００５８】
反射シート３ａの４隅には、図に示すように、係止手段であるネジ４，４…を挿通する挿通穴３４，３５，３６，３７が設けてある。本実施の形態に係る光源モジュール１０ａにおいても、複数の挿通穴のうち最も近い２つの挿通穴同士において（図において上下方向に位置する挿通穴３４と挿通穴３５，挿通穴３６と挿通穴３７とにおいて）、各挿通穴の互いに近い側から遠い側に亘る一側（２つの挿通穴の互いに最も近い位置を基準としたときに０から−πの範囲）の半周縁部分よりも他側（２つの挿通穴の互いに最も近い位置を基準としたときに０からπの範囲）の半周縁部分の方が、ネジ４のネジ頭部４１及び反射シート３ａの接触面積が大となるようにしてある。これに加えて、複数の挿通穴のうち前記最も近い２つの挿通穴同士に対して９０°の角度をなす位置にある２つの挿通穴同士において（図において左右方向に位置する挿通穴３４と挿通穴３６，挿通穴３５と挿通穴３７とにおいて）、各挿通穴の互いに近い側から遠い側に亘る一側の半周縁部分よりも他側の半周縁部分の方がネジ及び反射シートの接触面積が大となるようにしてある。即ち、４つの挿通穴のうち選択された２つの挿通穴同士において、互いに最も近い位置を基準としたときに、各挿通穴の周縁部分の０から−πの範囲に亘って、ネジの頭部の半径よりも挿通穴の半径が大となるようにしてある。その他の構成は、図７及び図８に示す実施の形態１と同様であるため、対応する構成部材に図７及び図８と同一の参照符号を付して、その構成の詳細な説明を省略する。
【００５９】
図１２は、ネジ４，４…との摩擦に応じて反射シート３ａに作用する力の説明図である。以上のように構成された実施の形態２に係る光源モジュール１０ａにおいて、例えば、反射シート３ａをネジ４，４…により係止すべく、ドライバを図において時計回りに回転させてネジ４，４…を基板１に締結する場合、前述したように、４つの挿通穴３４，３５，３６，３７のうち選択された２つの挿通穴同士において、互いに最も近い位置を基準としたときに、各挿通穴の周縁部分の０から−πの範囲に亘って、ネジの頭部の半径よりも挿通穴の半径が大となるように挿通穴３４，３５，３６，３７の形状が決定してあるから、ネジ４，４…の頭部４１，４１…は、挿通穴３４，３５，３６，３７の周方向に不均等に（３６０°のうち９０°の範囲のみにおいて）接触する。この接触部分において、図１２中に矢符にて示す如く、ネジ４，４…の頭部４１，４１…の周方向に沿って摩擦による力が作用する。ネジ４，４…の頭部４１，４１…の反射シート３ａとの接触部分が、３６０°のうち９０°の範囲のみであり、また挿通穴３４，３５，３６，３７によってこの接触する範囲が異なるから、複数の挿通穴３４，３５，３６，３７夫々において、接触する範囲に応じて異なる方向の力が反射シート３ａに作用する。この摩擦により生じる力は、各挿通穴の近くの反射シート３ａの長辺側の周縁に向かう方向（図において上下方向）と短辺側の周縁に向かう方向（図において左右方向）の分力、換言すると４つの挿通穴３４，３５，３６，３７のうち選択された２つの挿通穴同士において、反対方向（選択された２つの挿通穴の互いに離反する方向）の分力を含む。この結果、図１２中に白抜き矢符にて示す如く、反射シート３ａの４隅に各設けられた４つの挿通穴３４，３５，３６，３７のうち選択された２つの挿通穴同士において反対方向の分力を含む力が反射シート３ａに作用するから、反射シート３ａに該反射シート３ａを４隅に向けて引張する方向、換言すると光学手段の反りを低減する方向に力が作用することになる。この結果、反射シート３ａの反りが発生する方向への変位を防止して、反射シート３ａに反りが発生することを抑制することができ、反射シート３ａと基板１との密着性を更に向上させて、光源モジュール１０ａから出射される光量の低下を更に防ぐことができる。
【００６０】
この光源モジュール１０ａは、実施の形態１に係る光源モジュール１０と同様に、図９及び図１０に示す照明装置１００に用いることができる。反射シート３ａによりＬＥＤ２，２…からの光を外部へ効率良く導くことができ、照明光として外部に出射される光量の低下を更に防止することができる。
【００６１】
なお、実施の形態１及び２に係る光源モジュールにおいては、各挿通穴の互いに近い側から遠い側に亘る一側の半周縁部分よりも他側の半周縁部分の方が、ネジ４のネジ頭部４１及び反射シートの接触面積が大となるように、一側の半周縁部分の挿通穴の半径をネジ頭部４１の半径よりも大となるように構成してあるが、ネジ頭部４１と反射シートとが接触しない状態とする加工が一側の半周縁部分に施してあればよい。例えば、凹部を一側の半周縁部分に形成するようにしてもよい。
【００６２】
実施の形態１及び２に係る光源モジュールにおいては、反射シートに反りが生じることを抑制すべく、係止手段であるネジ及び支持体である基板間に位置する部分を、ネジとの摩擦に応じて生じる力が反射シートを引張する方向に作用するように構成してあるが、前記力を低減又は吸収するように構成してもよい。
【００６３】
例えば、反射シートのネジとの接触部分の摩擦係数を他の部分よりも小さくするように反射シートを構成してもよい。即ち、反射シートに設けられた挿通穴の周縁部分に作用する摩擦力自体を小さくするように、挿通穴のネジのネジ頭部の下面と接触する周縁部分を加工する。この摩擦を低減させる加工は、具体的にはシリコン等の潤滑油を挿通穴の周縁部分にのみ塗布する方法が考えられる。このように構成することにより、取付時にネジ及び反射シート間に作用する摩擦力を小さくして、反射シートに作用する力の絶対値を小さくすることができるから、該反射シートの反りを抑制して、光量の低下を防止することができる。
【００６４】
また、例えば、反射シートのネジとの接触部分のヤング率を他の部分よりも小さくするように反射シートを構成してもよい。即ち、反射シートに設けられた挿通穴の周縁部分に局所的な変形が生じやすくするように挿通穴のネジのネジ頭部の下面と接触する周縁部分を加工する。この加工として、具体的には反射シートと基板とを係止する工程において、挿通穴の周縁部分のみ、ヒートガン等を用いて温度を上昇させる方法、又は係止手段であるネジを予め高温に保っておく方法が考えられる。このように構成することにより、取付時にネジ及び反射シート間に作用する摩擦力に応じて生じる反射シートの変形をヤング率が小さい接触部分の局所的な変形に抑えることができ、反射シートの反りを抑制して、光量の低下を防止することができる。
【００６５】
なお、以上の実施の形態においては、ネジとの摩擦に応じて生じる力が、挿通穴の周縁部分に反射シートを引張する方向に作用するように構成した例、前記力を低減するように構成した例、前記力を吸収するように構成した例について夫々述べたが、挿通穴の周縁部分の加工としては、これらを組み合わせてもよい。
【００６６】
また、以上の実施の形態においては、光学部材として反射シートを用いた例について説明したが、これに限定されず、偏光シート等の他の光学部材についても同様に適用することができる。また、係止手段としてネジを用いているが、これに限定されない。
【００６７】
また、以上の実施の形態においては、基板の側が天井の側になるように光源モジュールを設けた照明装置を例に説明したが、光源モジュールの取付方向はこれに限定されない。種々の照明装置に応じた適切な方向に光源モジュールを取付けた場合においても同様に、反射シートの反りを抑制することになり、照明光として外部に出射される光量の損失を低減することができる。
【００６８】
また、以上の実施の形態においては、光源として表面実装型ＬＥＤを用いているが、これに限定されず、他のタイプのＬＥＤ、ＥＬ（Ｅｌｅｃｔｒｏ  Ｌｕｍｉｎｅｓｃｅｎｃｅ）等を用いてもよい。
【００６９】
また、以上の実施の形態においては、光源モジュールを照明装置に適用した例について述べたが、該光源モジュールは、照明装置以外の光源モジュールを備える機器にも適用可能であり、その他、特許請求の範囲に記載した事項の範囲内において種々変更した形態にて実施することが可能であることは言うまでもない。
【符号の説明】
【００７０】
１  基板（支持体）
２  ＬＥＤ（光源）
３，３ａ  光学シート（光学手段）
３２，３３，３４，３５，３６，３７  挿通穴
４  ネジ（係止手段）
１０，１０ａ  光源モジュール
【図１】
2010282762.tif 000003
【図２】
2010282762.tif 000004
【図３】
2010282762.tif 000005
【図４】
2010282762.tif 000006
【図５】
2010282762.tif 000007
【図６】
2010282762.tif 000008
【図７】
2010282762.tif 000009
【図８】
2010282762.tif 000010
【図９】
2010282762.tif 000011
【図１０】
2010282762.tif 000012
【図１１】
2010282762.tif 000013
【図１２】
2010282762.tif 000014